(57)【特許請求の範囲】
【請求項１】
複数の分割プレキャスト型枠を周方向に配列し、内周部に環状部材をあてがって締結部材で固定することにより前記複数の分割プレキャスト型枠を相互に連結して断面円形又は多角形状の柱状体に組み立てる分割プレキャスト型枠の組立て装置であって、
仮想の円形線上に立設された複数の支持柱と、これら各支持柱に取り付けられ且つ前記支持柱の長手方向軸線にほぼ直交する水平方向に可動な少なくとも２つの把持具と、前記支持柱に沿って配置され且つ前記把持具により保持された環状部材保持脚とから構成され、
仮想の円形線上に位置する複数の前記環状部材保持脚を包囲するようにその外側面に所定の数の前記環状部材を嵌め、更にその外周囲に前記分割プレキャスト型枠を配置して前記環状部材を前記分割プレキャスト型枠の内周面に固定することで断面円形又は多角形状の柱状体に組み立てることを特徴とする分割プレキャスト型枠の組立て装置。
【請求項２】
前記複数の支持柱のそれぞれは、これら支持柱が配置されている仮想の円形線を基準として放射方向に配置された基台に設置されていることを特徴とする請求項１に記載の分割プレキャスト型枠の組立て装置。
【請求項３】
前記基台がその水平度を調整する調整手段を備えていることを特徴とする請求項２に記載の分割プレキャスト型枠の組立て装置。
【請求項４】
前記基台が前記複数の支持柱すべてを支持する１つの部材であることを特徴とする請求項２又は３に記載の分割プレキャスト型枠の組立て装置。
【発明の詳細な説明】
【０００１】
【発明の属する技術分野】
本発明は分割プレキャスト型枠の組立て装置に関し、更に詳細には複数の分割プレキャスト型枠を環状部材により相互に連結して断面が円形又は多角形状の柱状体に組み立てる分割プレキャスト型枠の組立て装置に関する。
【０００２】
【従来の技術】
従来、柱、橋梁、高架橋の橋脚、煙突、タンク、サイロ等の塔状構造物は、その断面形状を構成する分割プレキャスト型枠を予め工場にて製造しておき、これらの分割プレキャスト型枠を現場で所定の位置に順次配列して、相互にボルト止めするなどの方法で形成されていた。
【０００３】
【発明が解決しようとする課題】
上記のように複数の分割プレキャスト型枠から柱状体を組み立てるには、柱状体の真円度、直径、水平精度、鉛直精度などを許容範囲内に確保する必要がある。しかし、適当な組立て装置がないために、現場における精度の高い柱状体の組立てには限界があった。
【０００４】
本発明の目的は、かかる問題点を解決するためになされたものであって、複数の分割プレキャスト型枠から所定の断面形状の柱状体を高精度に組み立てることができ、その上、組み立てられるべき柱状体の内径の大きさにも十分対応できる、構造簡単な分割プレキャスト型枠の組立て装置を提供することにある。
【０００５】
【課題を解決するための手段】
本発明は、上述の技術的課題を解決するための分割プレキャスト型枠の組立て装置であり、以下のような構成を有する。すなわち、本発明は、複数の分割プレキャスト型枠を周方向に配列し、内周部に環状部材をあてがって締結部材で固定することにより前記複数の分割プレキャスト型枠を相互に連結して断面円形又は多角形状の柱状体に組み立てる分割プレキャスト型枠の組立て装置であって、
仮想の円形線上に立設された複数の支持柱と、これら各支持柱に取り付けられ且つ前記支持柱の長手方向軸線にほぼ直交する水平方向に可動な少なくとも２つの把持具と、前記支持柱に沿って配置され且つ前記把持具により保持された環状部材保持脚とから構成され、
仮想の円形線上に位置する複数の前記環状部材保持脚を包囲するようにその外側面に所定の数の前記環状部材を嵌め、更にその外周囲に前記分割プレキャスト型枠を配置して前記環状部材を前記分割プレキャスト型枠の内周面に固定することで断面円形又は多角形状の柱状体に組み立てることを特徴とする。
【０００６】
前記把持具は前記環状部材保持脚を鉛直精度を維持しつつ柱状体に対して放射方向に移動可能とするものである。従って、安定的な移動を可能にするという点から少なくとも２つ必要とする。そして、把持具を２つ以上設けると環状部材保持脚の一層安定的な移動が実現するので好ましい。また、把持具の移動方式にはねじ送り方式をにすると、構成が簡単になるので好ましい。その他、油圧あるいは空圧シリンダを用いることもできる。
【０００７】
さらに、本発明は、前記複数の支持柱のそれぞれは、これら支持柱が配置されている仮想の円形線を基準として放射方向に配置された基台に設置されていることを特徴とする。
【０００８】
また、本発明は、前記基台がその水平度を調整する調整手段を備えていることを特徴とする。
さらに、本発明は、前記基台が前記複数の支持柱すべてを支持する１つの部材であることを特徴とする。
【０００９】
【発明の実施の形態】
以下、本発明の分割プレキャスト型枠の組み立て装置を、図に示される実施の形態について更に詳細に説明する。図１及び図２には本発明の一実施形態に係る分割プレキャスト型枠の組み立て装置１０が示されている。この分割プレキャスト型枠の組立て装置１０は、複数の分割プレキャスト型枠２を周方向に配列し、内周部に環状部材３をあてがって締結部材で固定することにより複数の分割プレキャスト型枠２を相互に連結して図１４に例示されるような断面が円形又は多角形状の柱状体１に組み立てるときに使用されるものである。
【００１０】
ちなみに、このような柱状体１の複数個は、クレーンなどによって吊り上げられ、所定の高さに積み重ねられて図１４に示すような塔状構造物Ｆを構築するのである。なお、図１４において符号４は塔状構造物Ｆの内部に組み込まれた内側枠体、５は内側枠体と柱状体１との間に建て込まれたＨ形鋼、６は同じく打設されたコンクリートを示す。
【００１１】
図１〜図２に示されるように、この分割プレキャスト型枠の組み立て装置（以下、単に組み立て装置と称する）１０は、仮想の円形線ＣＬ上に沿って複数の組立ユニット１０Ａ〜１０Ｈを備えて構成されている。これら各組立ユニットは実質的に同一であるので、その一つの組立ユニット１０Ａについて図３〜図６を参照して説明する。
【００１２】
組立ユニット１０Ａはほぼ垂直に立設された支持柱１１を含む。この支持柱１１は間隔をあけて立設された２本の溝形鋼１１ａ、１１ｂの前面側及び後面側にそれぞれ連結板１４を取り付けることで一体化して構成されている。
【００１３】
これら各支持柱１１にはその長手方向軸線Ｌ−Ｌにほぼ直交する水平方向に可動な２つの把持具１２が取り付けられている。この把持具１２は、図３〜図６から明らかなように、連結板１４と同様に支持柱１１に取付けられた孔のあいた座板１６に、その孔に整合するように固着された円筒体１７のねじ孔１９に螺合されたねじロッド１８を備えている。
【００１４】
ところで、この把持具１２は、ねじロッド１８の一端に取付けられた継手２０を備えている。この継手２０は、その一端に切り込み部３１が形成されており、他端には蓋３４によって区画された室３３が形成され、この室３３にねじロッド１８の他端頭部１８ａが収容されている。このために、ねじロッド１８は継手２０及び後述する環状部材保持脚に対して相対回転可能に連結されていることになる。
【００１５】
さらに、支持柱１１に沿って環状部材保持脚１３が配置され、把持具１２により保持されている。すなわち、この環状部材保持脚１３は、図４に示すように断面がほぼＴ字形をなしており、その内端部１３ａは図６に示されるように把持具１２を構成している継手２０に形成された切り込み部３１に挿入され、ピン３２により連結されている。
【００１６】
さらに、各支持柱１１は、仮想円形線ＣＬを規準として放射方向に配置された基台Ｂに配置されている。この基台Ｂは、上部基台２１と下部基台２２とから構成される。上下の各基台２１、２２は、各々間隔をあけて配置された一対の溝形鋼２１ａ、２１ｂ及び２２ａ、２２ｂから構成されるとともに、上下方向に締着されて一体化されている。
【００１７】
また、基台Ｂは、固定用アンカーボルト２５によって固定側２６に固定されるとともに、調整手段であるレベル調整ボルト２４によって組立て装置１０の水平度を調整することができるようになっている。
【００１８】
さらに、上部基台２を構成する溝形鋼２１ａ、２１ｂは、連結板２３ａ、２３ｂを取り付けることにより一体に構成される。また、連結板２３ａには支持柱１１が溶接されて立設されている。連結板２３ｂと連結板１４との間に筋交い２７が取付けられ、この筋交い２７は支持柱１１を垂直に支持すると同時に、支持柱１１を補強している。
【００１９】
また、下部基台２２は図３に示すように上部基台２１よりも長尺であり、分割プレキャスト型枠２を載置することができる。なお、基台Ｂを複数の支持柱１１のすべてを支持する一つの部材で形成してもよい。この場合、基台Ｂは平板状とすることができる。
【００２０】
この実施形態に係る組立て装置１０を用いて分割プレキャスト型枠を柱状体１に組み立てる組み立て手順について説明する。最初に、図１に示すように仮想の円形線ＣＬ上に配置された複数の組立ユニット１０Ａ〜１０Ｈの水平度がレベル調整ボルト２４を回動することにより調整される。
【００２１】
次に、図７、図８に示すように、各組立ユニット１０Ａ〜１０Ｈに設けられた把持具１２のねじロッド１８を回転すると、ねじロッド１８は継手部材２０を介して環状部材保持脚１３を放射方向に移動させて、環状部材保持脚１３の鉛直度を調整する。同時に、環状部材３の内径に対応した高精度の真円度の直径Ｒが得られる。
【００２２】
次いで、図７、図８に示すように、５本の環状部材３（３ａ〜３ｅ）を環状部材保持脚１３を包囲するように嵌め込む。なお、各環状部材３は図１２に拡大して示すように２本の同一長の帯鋼板２８ａ、２８ｂの両端２９ａ、２９ｂをそれぞれ溶接することにより一本の環状部材３が形成される。なお、環状部材３には、図１３に示すように分割プレキャスト型枠に設置されたインサートと同一数の長穴３０が周囲に形成されている。
【００２３】
その後、図９、図１０に示すように各環状部材３（３ａ〜３ｅ）の外周面に、円弧形の分割プレキャスト型枠２を配列すると共に、基台Ｂ上に載置する。分割プレキャスト型枠２は図１２に示すように円周上において８個（２ａ〜２ｈ）に分割されて形成されている。なお、図示されていないが、環状部材３に形成された長穴３０に整合する位置にめねじを形成したインサートが設けられている。
【００２４】
このようにして、本発明に係る組立て装置１０上において各分割プレキャスト型枠２が円周方向に配列されて、各分割プレキャスト型枠２ａ〜２ｂは内周部に環状部材３ａ〜３ｅによってあてがわれた状態となる。
【００２５】
このような状態で、環状部材３に明けられた８個の長穴３０から図示しないボルトをインサートにねじ込むことによって、各分割プレキャスト型枠２が相互に連結されて、断面円形の柱状体１が組立てられる。
【００２６】
柱状体１の組立てが完了したら、把持具１２のねじロッド１８を回転して図１１に示すように環状部材保持脚１３を後退させて、柱状体１を分割プレキャスト型枠の組立て装置から取り出すことができるような状態にする。その後は、必要に応じて柱状体１を図示しない吊り上げ治具によって吊り上げ、図１４に示すように柱状体１の内側に帯鉄筋７を建て込むことができる。
【００２７】
なお、本実施の形態では、断面が円形の柱状体を組み立てる場合を説明したが、前記の円形断面に内接する多角形状の断面を有する柱状体を組み立てる場合も同様にして組立てが行われることはいうまでもない。
【００２８】
【発明の効果】
以上説明したように、本発明の分割プレキャスト型枠の組立て装置によれば、柱状体を組み立てるに当たり、その水平精度を確保すると同時に、鉛直度、真円度、及び直径の調整がなされるのであるから、真円度、水平度、鉛直度がきわめて高精度の柱状体の組立てが可能となる。
【００２９】
さらに、組み立てられる種々の直径に柱状体に対応して、環状部材保持脚を移動させることができるので、適用範囲の広い組立て装置を提供することが可能になった。
【００３０】
しかも、組立て装置自体の構成が簡単であるので、高精度で安価な分割プレキャスト型枠の組立て装置となる。
【図面の簡単な説明】
【図１】本発明の分割プレキャスト型枠の組立て装置の一実施形態の平面図である。
【図２】図１に示す組立て装置の側面図である。
【図３】図１に示された組立て装置を構成する組立てユニットの側面図である。
【図４】図３に示された組立てユニットの一部を切断した平面図である。
【図５】図３に示された組立てユニットの右側面図である。
【図６】図３に示された把持具を構成する継手部材の詳細を示す断面図である。
【図７】環状部材を嵌合したときの組立て装置の平面図である。
【図８】図７に示す組立て装置の側面図である。
【図９】分割プレキャスト型枠を環状部材の外周面に配置したときの組立て装置の平面図である。
【図１０】図９に示す組立て装置の側面図である。
【図１１】柱状体を組立てた後に、環状部材保持脚を後退させたときの組立て装置の側面図である。
【図１２】柱状体の断面図である。
【図１３】環状体の部分正面図である。
【図１４】柱状体を用いて塔状構造物を施工している状態を示す斜視図である。
【符号の説明】
１    柱状体
２    分割プレキャスト型枠
３    環状部材
１０  分割プレキャスト型枠の組み立て装置
１０Ａ  組立てユニット
１１  支持柱
１２  把持具
１３  環状部材保持脚
２４  調整部材
ＣＬ  仮想の円形線
Ｂ    基台
【図１】
0003710197.tif 000002
【図２】
0003710197.tif 000003
【図３】
0003710197.tif 000004
【図４】
0003710197.tif 000005
【図５】
0003710197.tif 000006
【図６】
0003710197.tif 000007
【図７】
0003710197.tif 000008
【図８】
0003710197.tif 000009
【図９】
0003710197.tif 000010
【図１０】
0003710197.tif 000011
【図１１】
0003710197.tif 000012
【図１２】
0003710197.tif 000013
【図１３】
0003710197.tif 000014
【図１４】
0003710197.tif 000015